(57)【要約】【課題】この発明は、ブーツを反転支持状態で乾燥することのできるブーツ収納具に関する。【解決手段】本発明に係るブーツ収納具１は、図６に示すように、ケースＫ内においてブーツを反転支持するための係止部を具備し、且つ、該ブーツを乾燥するための送風機４を下端部に具備するブーツ収納具１であって、前記係止部が、前記ブーツの甲部分５をその下方から係止する甲係止部材６と、前記ブーツの踵部分７を係止する踵係止部材８と、を具備すると共に、前記ケースＫ内の左右方向の両側面Ｓに設けられ、且つ、前記甲係止部材６と前記踵係止部材８とを、同時に前記ケースＫ内の前後方向にスライド自在に支持するスライド部材９と、前記反転支持されるブーツの筒部１０の開口部分と相対する側から前記送風機４が発生する風を該ブーツに吹付けるための送風孔１１と、を具備するものである。【選択図】図６
2008212590.tif 000002
【特許請求の範囲】
【請求項１】
ケース内においてブーツを反転支持するための係止部を具備し、且つ、該ブーツを乾燥するための送風機からの風を下方から吹付けるブーツ収納具であって、
前記係止部が、
前記ケース内の左右方向に架設され、前記ブーツの甲部分をその下方から係止する甲係止部材と、
該甲係止部材と前記ケース内の前後方向に所定間隔だけ離間し、且つ、略平行となるように前記ケース内の左右方向に架設され、前記ブーツの踵部分を係止する踵係止部材と、
を具備すると共に、
前記ケース内の左右方向の両側面に設けられ、且つ、前記甲係止部材と前記踵係止部材とを、同時に前記ケース内の前後方向にスライド自在に支持するスライド部材と、
前記反転支持されるブーツの筒部の開口部分と相対する側から前記送風機が発生する風を該ブーツに吹付けるための送風孔と、
を具備することを特徴とするブーツ収納具。
【請求項２】
前記係止部の少なくとも表面が弾性材料から形成されていることを特徴とする請求項１記載のブーツ収納具。
【請求項３】
前記甲係止部材と前記踵係止部材の間において、前記ブーツの筒部を挟持する補助係止部材を具備することを特徴とする請求項１又は２記載のブーツ収納具。
【請求項４】
請求項１乃至３記載のブーツ収納具がその内部に設けられていることを特徴とするブーツ収納具付き下駄箱。
【請求項５】
請求項４記載のブーツ収納具付き下駄箱において、前記ブーツ収納具が着脱自在となるようにその内部に設けられることを特徴とするブーツ収納具付き下駄箱。
【発明の詳細な説明】
【技術分野】
【０００１】
この発明は、ブーツを反転支持状態で乾燥することのできるブーツ収納具に関する。
【背景技術】
【０００２】
従来、防寒やお洒落、若しくは水の浸入を防ぐため等、日々の生活においてブーツを使用するケースが多くある。そして、ブーツを使用している際にも、その使用者は気づかぬうちに足に汗をかいており、使用後のブーツは多くの湿気を含んだ状態となっている。しかし、ブーツの使用者が、その湿気に気づかずに該ブーツを箱や、下駄箱等にその状態のまま収納すると、ブーツ内部にカビが発生したり、不快臭が発生する等の問題が生じていた。そのため、ブーツを使用した後には、該ブーツが吸収した湿気を完全に乾燥させてから収納することが好ましく、以下のようなシューズボックスが開発されている。
【０００３】
従来のシューズボックス１００は、図１４に示すように、ブーツ１０１の後部に形成される踵部１０２に支持部１０３を当接させ、該ブーツ１０１の甲部１０４に支持部１０５を当接させることによりブーツ１０１をその底部分１０６を上向きにした状態、すなわち、反転状態で該ブーツ１０１を保持するものである。そして、ヒーター部で熱せられた空気を送気部（不図示）で循環することによりブーツ１０１を乾燥するのである（例えば、特許文献１）。
【０００４】
【特許文献１】特開２００３−１９４４６１号公報
【発明の開示】
【発明が解決しようとする課題】
【０００５】
しかし、上述した従来のシューズボックス１００は、支持部（１０３、１０５）にブーツ１０１を保持させる際の作業を該シューズボックス１００内で行う必要があるので作業が煩雑になり、外出時に急いでいる時等には、使用者がストレスを感じる可能性がある。また、支持部（１０３、１０５）がブーツ１０１を支持している際には、直接ブーツ１０１と支持部（１０３、１０５）が接触するため該ブーツ１０１に傷が付く可能性がある。さらに、外出する際にブーツ１０１を履く時等には、急いで該ブーツ１０１を取出すこともあり、その際にも傷がつく可能性がある。
【０００６】
この発明は上記のような種々の課題を解決することを目的としてなされたものであって、ブーツの着脱を容易にし、さらに、該ブーツに傷が付くことがなく、また、該ブーツが型崩れを生じることのないブーツ収納具、及びブーツ収納具付き下駄箱に関する。
【課題を解決するための手段】
【０００７】
上記目的を達成するために、請求項１記載のブーツ収納具は、ケース内においてブーツを反転支持するための係止部を具備し、且つ、該ブーツを乾燥するための送風機からの風を下方から吹付けるブーツ収納具であって、前記係止部が、前記ケース内の左右方向に架設され、前記ブーツの甲部分をその下方から係止する甲係止部材と、該甲係止部材と前記ケース内の前後方向に所定間隔だけ離間し、且つ、略平行となるように前記ケース内の左右方向に架設され、前記ブーツの踵部分を係止する踵係止部材と、を具備すると共に、前記ケース内の左右方向の両側面に設けられ、且つ、前記甲係止部材と前記踵係止部材とを、同時に前記ケース内の前後方向にスライド自在に支持するスライド部材と、前記反転支持されるブーツの筒部の開口部分と相対する側から前記送風機が発生する風を該ブーツに吹付けるための送風孔と、を具備することを特徴としている。
【０００８】
請求項２記載のブーツ収納具は、前記係止部の少なくとも表面が弾性材料から形成されていることを特徴としている。
【０００９】
請求項３記載のブーツ収納具は、前記甲係止部材と前記踵係止部材の間において、前記ブーツの筒部を挟持する補助係止部材を具備することを特徴としている。
【００１０】
請求項４記載のブーツ収納具付き下駄箱は、請求項１乃至３記載のブーツ収納具がその内部に設けられていることを特徴としている。
【００１１】
請求項５記載のブーツ収納具付き下駄箱は、請求項４記載のブーツ収納具付き下駄箱において、前記ブーツ収納具が着脱自在となるようにその内部に設けられることを特徴としている。
【発明の効果】
【００１２】
請求項１記載のブーツ収納具によれば、ケース内の左右方向に架設され、ブーツの甲部分をその下方から係止する甲係止部材と、該甲係止部材とケース内の前後方向に所定間隔だけ離間し、且つ、略平行となるようにケース内の左右方向に架設され、ブーツの踵部分を係止する踵係止部材とが、ケース内の左右方向の両側面に設けられ、且つ、前記甲係止部材と前記踵係止部材とを、同時にケース内の前後方向にスライド自在に支持するスライド部材に支持されている。これにより、甲係止部材と踵係止部材とにより構成される係止部がケース内の前後方向にスライド自在となり、係止部を引出した状態でブーツを着脱することができるので、これらの作業が容易なものとなる。さらに、係止部がブーツを反転支持状態で係止するので、型崩れが生じることなく該ブーツを保管、乾燥することができる。
【００１３】
請求項２記載のブーツ収納具によれば、係止部の少なくとも表面が弾性材料から形成されている。これにより、係止部にブーツを係止させる際に、該ブーツの踵部分や甲部分に傷が付くことがなく、また、ブーツの種類から生じる該ブーツの筒部の大きさや、個人差によって生じるブーツの大きさの違い等にも対応することができる。
【００１４】
請求項３記載のブーツ収納具によれば、甲係止部材と踵係止部材の間において、ブーツの筒部を挟持する補助係止部材を具備する。これにより、ブーツをより確実に係止することができると共に、ブーツの種類から生じる該ブーツの筒部の大きさや、個人差によって生じるブーツの大きさ等にも、より幅広く対応することができる。
【００１５】
請求項４記載のブーツ収納具付き下駄箱によれば、ブーツ収納具がその内部に設けられている。これにより、ブーツ以外の靴等を同時に乾燥することができる。さらに、ブーツと靴等を同時に収納できるので、玄関にこれらのブーツや靴等が散乱することがなく、該玄関の整理が容易になる。
【００１６】
請求項５記載のブーツ収納具付き下駄箱によれば、ブーツ収納具が着脱自在となるようにその内部に設けられている。これにより、ブーツのみを各自の部屋等で別途乾燥、及び保管することができ、さらに、ブーツ収納具を取外した箇所を、新たな収納スペースとして利用することもできるので、ブーツの数が増えてきた際にも対応することができる。
【発明を実施するための最良の形態】
【００１７】
この発明におけるブーツ収納具の最良の実施形態について、以下に説明する。本発明に係るブーツ収納具１は、図６に示すように、ケースＫ内にブーツ２を反転支持するための係止部３を具備し、且つ、該ブーツ２を乾燥するための送風機４を下端部に具備するブーツ収納具１である。そして、係止部３は、ケースＫ内の左右方向に架設され、ブーツ２の甲部分５をその下方から係止する甲係止部材６と、該甲係止部材６とケースＫ内の前後方向に所定間隔だけ離間し、且つ、略平行となるようにケースＫ内の左右方向に架設され、ブーツ２の踵部分７を係止する踵係止部材８とからなる。そして、ケースＫ内の左右方向の両側面Ｓに設けられ、且つ、甲係止部材６と踵係止部材８とを、同時にケースＫ内の前後方向にスライド自在に支持するスライド部材９とを有している。さらに、前記反転支持されるブーツ２の筒部１０の開口部分と相対する位置に送風機４が発生する風を該ブーツ２に吹付けるための送風孔１１と、を具備するものである。
【００１８】
前記ブーツ２は、本実施形態においては、図６に示すように、少なくとも使用者の踝を覆う程度の高さにまで筒部１０が形成されてなるものである。そして、ブーツ２は、例えば、登山等に使用されるもの、スキーやスノーボードに使用されるもの、雨天の際に使用されるゴム製のもの、さらには、日常生活において防寒やお洒落のために使用されるもの等が挙げられるが、ブーツ２の種類はこれらに限定されるものではなく、その筒部１０が踝を覆う程度の高さに形成されてなる履物であれば、適宜使用することができる。
【００１９】
前記送風機４は、図６に示すように、ブーツ収納具１の下端部に設けられており、その前面に駆動スイッチ１２、及び吸入孔１３を具備している。そして、本実施形態において使用される送風機４は、バッテリーや電池等で駆動するものが好適に使用されるが、家庭用電源を初めとする商用電源で駆動するものであってもよく適宜選択することができ、該送風機４の機構も周知のものを適宜使用することができる。そして、駆動スイッチ１２をＯＮの状態にすることで送風機４内のファンが回転し、吸入孔１３から吸入した空気を送風孔１１から排出するのである。また、本実施形態に係る送風機４には、温度調節機能やタイマー機能が付与されていることが好ましく、さらに、送風機４内部に、例えばコロナ放電式のイオン発生装置を設けることで、該イオン発生装置から発生するイオンによりブーツ収納具１内の空気を除菌することも可能である。ただし、ブーツ２を乾燥させる際の温度は、該ブーツ２の材料、すなわち外側部分に使用される革や、合皮に使用される例えばウレタン系の合成樹脂、そして、ソール部分に使用されるゴム等の劣化を考慮すると、該温度は４０度以下であることが好ましいが、これらの温度は、乾燥する対象物の材料等によって適宜変更することができる。
【００２０】
そして、送風機４の上面部１４には、図６に示すように、反転支持されるブーツ２の筒部１０の開口部分と相対する位置に送風機４が発生する風を該ブーツ２に吹付けるための送風孔１１が、その一部が送風機４内に埋没し上面部１４と略面一となるように設けられている。そして、送風孔１１はその向きを自在に変更することができるため、ブーツ２の種類や大きさによって生じる筒部１０の開口部分の位置のずれに対しても適宜対応することができる。また、送風孔１１付近に、例えば、ろ紙片にアロマオイルを含浸させたものを設置しておくことで、ブーツ収納具１内の空気だけでなく外部に排出される空気にも芳香が付与され、該ブーツ収納具１内、及びその外部に不快臭が発生することがない。しかし、ブーツ収納具１内の空気に芳香を付与する方法は上述したものに限定されるものではなく、市販の芳香剤等を設置してもよく、適宜変更することができる。
【００２１】
また、本実施形態に係るブーツ収納具１は、図６に示すように、その全体形状が略直方体となるケースＫ内に形成されており、その下端部には送風機４を具備しているが、該ケースＫは、少なくとも送風機４から略垂直方向に立設する両側面Ｓを有していればよく、また、球形であってもよい。そして、ケースＫは、その内部に収納されるブーツ２の様子を外側から目視することができるように、透明なアクリル系の合成樹脂が好適に使用される。しかし、ケースＫは本実施形態のように透明な合成樹脂に限定されるものではなく、ポリプロピレン等の不透明な合成樹脂や、木質の材料を適宜使用することができ、その大きさも適宜変更することができる。また、ケースＫの上面１５には、送風機４によって発生した風を外部へ排気するための排気孔１６が設けられている。
【００２２】
そして、ケースＫの前面には、図６示すように、開口部１７を有しており、さらに、該開口部１７には、その一方側端部が開閉自在に固定された扉１８が設けられている。また、扉１８の一方側端部の上端には、図８に示すように、該上端から突出するように軸部１９が設けれらており、さらに、上面１５におけるケースＫ内の左右方向の一方側端部には、その前後方向に溝部２０が形成されている。そして、扉１８の一方側端部の下端にも同様の構造が形成されている（不図示）。そのため、扉１８は、図６の矢印Ａ方向に、一方側端部を中心に回転自在となっている。さらに、扉１８は、図８（ａ）に示すように、その一方側端部を中心に矢印Ａ方向に略９０度回転させ、該開口部１７を開放した状態から、図８（ｂ）に示すように、上面１５の溝部２０に沿って該扉１８をケースＫ内の後方向である、矢印Ｂ方向に摺動することで、該扉１８を収納することができるようになっている。また、ブーツ２を乾燥する際には、扉１８を閉めておくほうが、該ブーツ２の内側だけでなく外側も乾燥することができるため好ましい。
【００２３】
一方、ケースＫの他方側の側面Ｓの略中央部の内側には、図７に示すように、扉１８が意に反して開くことがないように、また、該扉１８の開閉を容易にするための扉保持部材２１が設けられている。そして、扉保持部材２１は、本実施形態においては、所定荷重を加えるごとに保持状態と開放状態が切換わる機構を有し、その内部には弾性機構（不図示）、そして、扉１８と接触する箇所には固定用のマグネット２２を具備するものである。そのため、図７（ａ）に示す保持状態において、扉１８の他端部側を矢印Ｃ方向に軽く押圧することで、図７（ｂ）に示す開放状態に切換り、前記弾性機構により扉１８を開口部１７から離反する方向である、矢印Ｄ方向に付勢し、該扉１８を開放するのである。また、扉保持部材２１のマグネット２２と対応する位置である、扉１８の他方側端部の略中央には薄板状に形成された金属性の板部材２３が設けられている。これにより、ブーツ２を保管している状態では、外壁の他方側の側面Ｓに設けられた扉保持部材２１と、扉１８に設けられた板部材２３とが磁気的に接着しているので該扉１８が意に反して開くことがないが、該扉１８を開放する際には、該扉１８の他端部側を軽く押圧するだけで容易に開放することができるのである。また、扉保持部材２１は側面Ｓに、そして、板部材２３は扉１８にそれぞれネジＮ等で固定されている。
【００２４】
前記甲係止部材６は、ケースＫ内の左右方向に架設され、ブーツ２の甲部分５をその下方から係止するものである。そして、本実施形態においては、甲係止部材６は、図９に示すように、棒状の部材を使用している。また、踵係止部材８は、甲係止部材６とケースＫ内の前後方向に所定間隔だけ離間し、且つ、略平行となるように左右方向に架設され、ブーツ２の踵部分７を係止するものである。そして、本実施形態においては、踵係止部材８は、図９に示すように、甲係止部材６と同様に棒状の部材を使用している。一方、甲係止部材６、及び踵係止部材８は、少なくともその表面が弾性材料から形成されていることが好ましく、本実施形態においては、弾性材料として例えば、低密度ポリエチレン（ＬＤＰＥ）の押出発泡成形体を好適に使用することができる。そのため、甲係止部材６、及び踵係止部材８から形成されてなる係止部３に、ブーツ２が係止される際に該ブーツ２の甲部分５、及び踵部分７に傷が付くことがない。さらに、低密度ポリエチレン（ＬＤＰＥ）は、若干の伸縮性も有するため、ブーツ２の大きさが異なるものに対しても、その形状が適宜変化し該ブーツ２を確実に係止することができるのである。しかし、弾性材料は、その他にもシリコン系の合成樹脂、ウレタン系の合成樹脂、そして、スチレン系の合成樹脂等も使用することができ、適宜選択することができる。また、甲係止部材６、及び踵係止部材８は、棒状部材の周囲に上述のような弾性材料を巻きつけたものであってもよく、その他にもビロードや革紐等も適宜使用することができる。
【００２５】
さらに、係止部３においては、甲係止部材６と踵係止部材８との間にブーツ２の筒部１０を挟持する補助係止部材２４を具備していてもよい。そして、他の実施形態に係る係止部３においては、図１２に示すように、補助係止部材２４は、甲係止部材６と踵係止部材８の間に、格子状に張り渡された弾性を有する紐部材２５を使用している。これにより、図１３に示すように、格子状に張り渡された紐部材２５の空間部分２６内にブーツ２を挿入することで、該ブーツ２が係止部３だけでなく、補助係止部材２４である紐部材２５にも補助的に係止される。そのため、ブーツ２の種類や使用者によって生じる該ブーツ２の筒部１０や、踵部分７から甲部分５までの長さ等の違いに、より柔軟に対応することができると共に、容易且つ確実に該ブーツ２を係止することができるのである。
【００２６】
前記スライド部材９は、甲係止部材６と踵係止部材８とをその所定間隔を保持した状態でケースＫ内の前後方向にスライド自在に支持するものである。そして、本実施形態においては、スライド部材９は、図１１に示すように、ケースＫ内の前後方向に長尺に形成され、該ケースＫ内の左右方向の両側面Ｓの内側にそれぞれ取付けられた外側レール部材２７と、該ケースＫ内の前後方向にスライド自在となるように該外側レール部材２７にガイドされる内側レール部材２８とから構成されている。さらに、外側レール部材２７と内側レール部材２８の間には、該外側レール部材２７に設けられたリテーナ２９によって回転自在に固定されたボール部材３０を具備するので、内側レール部材２８が、ケースＫの前後方向である、図１１に示す矢印Ｘ方向、及びその反対方向に滑らかにスライドするのである。そして、甲係止部材６と踵係止部材８とが、図９に示すように、内側レール部材２８に取付けられているので、これらは、同時に所定間隔を保持した状態でケースＫ内の前後方向、すなわち矢印Ｅ方向にスライド自在となっているのである。また、甲係止部材６、及び踵係止部材８の間隔は、例えば約２０ｃｍ程度離間するように架設されているが、この間隔は、適宜変更することができる。
【００２７】
以上のように構成されるブーツ収納具１がその内部に設けられたブーツ収納具付き下駄箱３１について以下に説明する。
【００２８】
第１の実施形態に係るブーツ収納具付き下駄箱３１は、図２に示すように、その下方部分にブーツ収納具１を具備するものである。そして、ブーツ収納具１が下駄箱３１に設けられる際には、ケースＫは該下駄箱３１の外壁Ｇの一部として形成されると共に、該外壁Ｇと同様の合板等で形成され、図１に示すように、ブーツ収納具１の開口部１７の扉３２は観音開きとなるように設けられている。また、ブーツ収納具１の上方には、例えば靴やサンダル等の履物３３を収納し、その前面に開閉自在な扉３４を有する収納スペース３５ａが設けられ、また、防水スプレーや消臭スプレー、及び履物３３の手入れに使用する靴クリームやブラシ等の雑品３６を収納するための引出し３５ｂが設けられている。尚、ブーツ２を乾燥させる際には、扉３２を閉めておくほうが、該ブーツ２の内側だけでなく外側も乾燥することができるため好ましい。
【００２９】
そして、第１の実施形態に係るブーツ収納具付き下駄箱３１においても、図３に示すように、甲係止部材６、及び踵係止部材８とからなる係止部３が、下駄箱３１の両側面Ｓに設けられたスライド部材９に支持されているので、該係止部３をケースＫ（外壁Ｇ）の前方向である矢印Ｆ方向に引出した状態でブーツ２を着脱することができる。
【００３０】
また、排気孔３７は、ブーツ収納具１の側面Ｓと、最上段の収納スペース３５ａの側面Ｓとに設けられている。さらに、それぞれの収納スペース３５ａの底板３８ａ及び仕切り板３８ｂは、各収納スペース３５ａにまで風が行き渡り、且つ、各収納スペース３５ａ間を風が行き来することができるように、例えばメッシュ状の部材から形成されており、該底板３８ａ、及び仕切り板３８ｂは複数の通気孔３９を有している。尚、底板３８ａ、及び仕切り板３８ｂには、後述する図１０に示す、第３の実施形態に係るブーツ収納具付き下駄箱３１のように、板状の部材に、スリット状の通気孔３９が設けられていてもよい。そして、該通気孔３９は、ハイヒール等のヒール部分よりも小さく形成されるか、若しくは、該踵部分の位置を避けるように形成されることが好ましい。また、これらの排気孔３７や通気孔３９は、開閉自在となっているため（不図示）、送風孔１１から出る風の流路を使用者が設定することができるのである。しかし、引出し３５ｂには靴クリーム等が収納されているため、これらの乾燥を防ぐため、該引出し３５ｂには風が流入しないように設計されていることが好ましい。そして、排気孔３７は、下駄箱３１内の空気をその周囲に排気するものであるが、該排気孔３７にダクト等を取付け、屋外に排気するようにしてもよい。尚、排気孔３７の場所は、下駄箱３１の上面や背面であってもよく、該下駄箱３１の構成や、設置位置、さらには家の構造等に応じて適宜変更することができる。
【００３１】
また、甲係止部材６と踵係止部材８とは、例えば、図１１に示す、側面Ｓ側からネジ等で固定されれているため、これらのネジを取外すことで、図４に示すように、該甲係止部材６と該踵係止部材８が着脱自在となっている。さらに、ブーツ収納具１の背面板４０には、該背面板４０と蝶番等（不図示）を介して取付けられた底板４１が、略鉛直方向に収納されている。そのため、ブーツ２を収納しない時には、図４に示すように、甲係止部材６、及び踵係止部材８を取外し、矢印Ｙ方向に底板４１を引上げ、適宜固定することで新たな収納スペースを設けることができる。
【００３２】
第２の実施形態に係るブーツ収納具付き下駄箱３１は、図５に示すように、ブーツ収納具１以外は第１の実施形態に係るブーツ収納具付き下駄箱３１の構成と同様であり、上述した図６に示す、例えば４つのブーツ収納具１が着脱自在に下駄箱３１内部に設けられている。これにより、ブーツ収納具１のみを他の場所で保存することもでき、また、ブーツ２を使用しない家庭等ではこれらのブーツ収納具１を取外した後のスペースに棚等を設け新たな収納スペースとし、靴やサンダル等の履物３３を始め、衣類等も収納、乾燥することもできる。
【００３３】
第３の実施形態に係るブーツ収納具付き下駄箱３１は、図１０に示すように、ブーツ収納具１以外は第１の実施形態に係るブーツ収納具付き下駄箱３１の構成と同様であり、上述した図２に示す、第１の実施形態に係る下駄箱３１のブーツ収納具１が仕切り４２（側面Ｓ）で区切られているものである。また、第１の実施形態に係る下駄箱３１同様、ケースＫの一部が該下駄箱３１の外壁Ｇの一部として形成されている。そして、区切られた個別スペースごとに独立して、それぞれ側壁Ｓに区切られたケースＫが形成されると共に、その内部にブーツ保持具１が設けられている。そのため、ケースＫごとにスライド部材９、及び該スライド部材９に支持された係止部３を具備しているので、該係止部３を、図１０に示すケースＫの前方向である矢印Ｇ方向に引出した状態でブーツ２を着脱することができる。また、送風機４も前記個別スペースごとに独立したものとなっているので、乾燥しようとするブーツ２が１つのみである場合には、送風機４を１つだけ駆動すればよく経済的である。
【００３４】
また、上述の第１乃至３の実施形態に係るブーツ収納具付き下駄箱３１は、他の実施形態に係る係止部３も適宜使用することができ、さらに、これらの下駄箱３１の収納スペース３５ａや引出し３５ｂの数や配置等は、上述の実施形態のものに限定されることなく適宜変更することができる。
【産業上の利用可能性】
【００３５】
本発明に係るブーツ収納具１、及びブーツ収納具付き下駄箱３１においては、ブーツ２を始めとした履物だけでなく、スキーで使用して湿った手袋等も乾燥することができ、さらに、家庭用だけでなくスキー宿等で業務用としても使用することができる。
【図面の簡単な説明】
【００３６】
【図１】本実施形態に係るブーツ収納具付き下駄箱の概観図
【図２】第１の実施形態に係るブーツ収納具付き下駄箱の内部を示す図
【図３】第１の実施形態に係るブーツ収納具付き下駄箱における係止部がスライドする様子を示す図
【図４】第１の実施形態に係るブーツ収納具付き下駄箱における新たな収納スペースを確保する様子を示す図
【図５】第２の実施形態に係るブーツ収納具付き下駄箱の内部を示す図
【図６】本発明の実施形態に係るブーツ収納具の概観図
【図７】本発明の実施形態に係るブーツ収納具の扉保持部材の使用説明図
【図８】本発明の実施形態に係るブーツ収納具の扉の取付け構造説明図
【図９】本発明の実施形態に係るブーツ収納具の係止部がスライドする様子を示す図
【図１０】第３の実施形態に係るブーツ収納具付き下駄箱の内部を示す図
【図１１】スライド部材の拡大斜視図
【図１２】他の実施形態に係る係止部の斜視図
【図１３】他の実施形態に係る係止部に係止されるブーツの上視図
【図１４】従来技術を示す図
【符号の説明】
【００３７】
１      ブーツ収納具
２      ブーツ
３      係止部
４      送風機
５      甲部分
６      甲係止部材
７      踵部分
８      踵係止部材
９      スライド部材
１０    筒部
１１    送風孔
２４    補助係止部材
Ｓ      側面
Ｋ      ケース
【図１】
2008212590.tif 000003
【図２】
2008212590.tif 000004
【図３】
2008212590.tif 000005
【図４】
2008212590.tif 000006
【図５】
2008212590.tif 000007
【図６】
2008212590.tif 000008
【図７】
2008212590.tif 000009
【図８】
2008212590.tif 000010
【図９】
2008212590.tif 000011
【図１０】
2008212590.tif 000012
【図１１】
2008212590.tif 000013
【図１２】
2008212590.tif 000014
【図１３】
2008212590.tif 000015
【図１４】
2008212590.tif 000016